(57)【要約】  ディスペンサパッケージであって、支持体と、前記支持体に連結されたディスペンサ本体と、カバー位置と開位置との間で移動可能なフリップアップ又はフリップアウトカバーとを備える前記ディスペンサパッケージ。  【選択図】図１
2019535602.tif 000002
【特許請求の範囲】
【請求項１】
ディスペンサパッケージであって、
支持体と、
前記支持体に連結されたディスペンサ本体と、
カバー位置と開位置との間で移動可能なフリップアップ又はフリップアウトカバーと
を備える前記ディスペンサパッケージ。
【請求項２】
前記支持体が不透明である、請求項１に記載のディスペンサパッケージ。
【請求項３】
前記支持体が長方形である、請求項１に記載のディスペンサパッケージ。
【請求項４】
前記支持体が、上端部に隣接して配置される開口部を備える、請求項１に記載のディスペンサパッケージ。
【請求項５】
前記容器本体が透明又は半透明である、請求項１に記載のディスペンサパッケージ。
【請求項６】
前記容器本体が半円筒状である、請求項１に記載のディスペンサパッケージ。
【請求項７】
前記容器本体が半円筒状の主部を備える、請求項１に記載のディスペンサパッケージ。
【請求項８】
前記容器本体が、上端部に隣接して配置される分配用開口部を備える、請求項１に記載のディスペンサパッケージ。
【請求項９】
前記分配用開口部が略平面に配置される、請求項８に記載のディスペンサパッケージ。
【請求項１０】
前記フリップアップカバーが、
回動可能に据え付けられる、及び
リビングヒンジを介して前記ディスペンサ本体に接続される
のうちの少なくとも一方である請求項１に記載のディスペンサパッケージ。
【請求項１１】
前記フリップアップカバーは指把持可能部及びカバー部を備え、前記カバー部は前記容器本体の上部の三次元形状を模した三次元形状を有する、請求項１０に記載のディスペンサパッケージ。
【請求項１２】
前記ディスペンサパッケージは、食品又は香辛料のディスペンサパッケージである、請求項１に記載のディスペンサパッケージ。
【請求項１３】
前記フリップアップカバーは、前記ディスペンサ本体の保持機構と解除可能に係合する保持機構を備える、請求項１に記載のディスペンサパッケージ。
【請求項１４】
吊り下げ用粉粒食品ディスペンサパッケージであって、
長方形平面支持体と、
前記支持体に固定されたディスペンサ本体と、
前記ディスペンサ本体の上部領域に配置された分配用開口部と、
を備え、
前記分配用開口部を覆って解除可能にロック又は保持された位置と前記分配用開口部から粉粒食品が分配されるのを可能とする開位置との間で移動可能な、回動可能に据え付けられたフリップアップカバー、又は
前記分配用開口部を覆って解除可能にロック又は保持された位置と前記分配用開口部から香辛料が分配されるのを可能とする開位置との間で移動可能な、回動可能に据え付けられた透明合成樹脂フリップアップカバー
のうちの１つをさらに備える前記吊り下げ用粉粒食品ディスペンサパッケージ。
【請求項１５】
吊り下げ用ディスペンサパッケージであって、
長方形平面支持体と、
前記支持体に固定された透明合成樹脂のディスペンサ本体と、
前記ディスペンサ本体の上部領域に配置された分配用開口部と、
前記分配用開口部に隣接して、前記ディスペンサ本体の表面に除去可能に取り付けられたタンパーエビデントラベルと、
前記ディスペンサ本体の主部に取り付けられ、香辛料ディスペンサ内に配置された香辛料を識別する指標を含むラベルと、
解除可能にロック又は保持された位置と前記分配用開口部から香辛料が分配されるのを可能とする開位置との間で移動可能な、回動可能に据え付けられた透明合成樹脂フリップアップ又はフリップアウトカバーと
を備える前記吊り下げ用ディスペンサパッケージ。
【請求項１６】
請求項１５に記載の前記パッケージを作製する方法であって、
ディスペンサ本体を形成するステップと、
支持体に前記ディスペンサ本体を取り付けるステップと
を備える前記方法。
【請求項１７】
請求項１に記載の前記パッケージを作製する方法であって、
一体型フリップアップカバーを有するディスペンサ本体を形成するステップと、
支持体に前記ディスペンサ本体を取り付けるステップと
を備える前記方法。
【請求項１８】
香辛料を保存及び分配するように構成された香辛料パッケージであって、
吊り下げ位置にディスペンサパッケージを支持するための開口部と、
支持体と、
前記支持体に連結された半円筒状又は半円状ディスペンサ本体と、
閉位置と開位置との間で移動可能なカバー又は蓋と
を備える香辛料パッケージ。
【請求項１９】
前記カバー又は蓋が、正面に対向するフリップアップカバー又は蓋である、請求項１８に記載の香辛料ディスペンサパッケージ。
【請求項２０】
前記カバー又は蓋が、背面に対向するフリップアウトカバー又は蓋である、請求項１８に記載の香辛料ディスペンサパッケージ。
【請求項２１】
略直立位置又は若干傾斜した直立位置のいずれかにおいて前記香辛料ディスペンサを支持するように構成された前記本体に配置される足部をさらに備える請求項１８に記載の香辛料ディスペンサパッケージ。
【発明の詳細な説明】
【技術分野】
【０００１】
関連出願の相互参照
本出願は、２０１６年１１月２２日出願の米国仮特許出願第６２／４２５２６６号の利益を主張する米国非仮特許出願であり、その開示はその全体においてここにその参照により明示的に取り込まれる。
【０００２】
本発明は、概略として、パッケージディスペンサ又はディスペンサパッケージング、特に、例えば香辛料、塩又は胡椒などの乾燥食品又は顆粒状製品の容器並びにそれを作製及び使用する方法に関する。
【背景技術】
【０００３】
周知のパッケージングディスペンサは小型で利用可能であるが、一般的に閉鎖可能ではない。これらは、柔らかい薄膜の袋又はＲｅｃｉｐｅ  Ｉｎｓｐｉｒａｔｉｏｎのような再閉鎖不可の硬いデバイスを含む。例えば、２０１０年１１月３０日発行の米国意匠特許Ｄ６２８０９０号、２０１１年８月２日発行のＤ６４２４８２号、及び２０１１年８月２日発行のＤ６４２４８３号を参照されたい。
【０００４】
しかしながら、既存又は周知の乾燥食品パッケージングディスペンサには、ここで開示されるパッケージングディスペンサで利用される１以上の構成が欠如している。
【発明の概要】
【０００５】
発明の非限定的な一実施形態によれば、平面支持体（planar backing）、支持体に固定されたディスペンサ本体、及びカバー位置と開位置との間で移動可能なフリップアップカバーを備えるディスペンサパッケージを提供する。
【０００６】
実施形態において、支持体は不透明である。
【０００７】
実施形態において、支持体は長方形である。
【０００８】
実施形態において、支持体は上端部で隣接して配置される開口部を備える。
【０００９】
実施形態において、容器本体は透明又は半透明である。
【００１０】
実施形態において、容器本体は半円筒状である。
【００１１】
実施形態において、容器本体は半円筒状の主部を備える。
【００１２】
実施形態において、容器本体は、上端部で隣接して配置される分配用開口部（dispensing opening）を備える。
【００１３】
実施形態において、分配用開口部は略平面に配置される。
【００１４】
実施形態において、フリップアップカバーは回動可能に据え付けられる。
【００１５】
実施形態において、フリップアップカバーは、リビングヒンジを介してディスペンサ本体に接続される。
【００１６】
実施形態において、フリップアップカバーは指把持可能部及びカバー部を備え、前記カバー部は容器本体の上部の三次元形状を模した三次元形状を有する。
【００１７】
実施形態において、ディスペンサパッケージは、食品又は香辛料のディスペンサパッケージである。
【００１８】
実施形態において、フリップアップカバーは、ディスペンサ本体の保持機構と解除可能に係合する保持機構を備える。
【００１９】
発明はまた、長方形又は平面支持体、支持体に固定されたディスペンサ本体、分配用開口部、及び分配用開口部を覆う位置と分配用開口部から香辛料が分配されるのを可能とする開位置との間で移動可能な、回動可能に据え付けられたフリップアップカバーを備える食品ディスペンサパッケージを提供する。
【００２０】
発明はまた、長方形平面支持体、支持体に固定されたディスペンサ本体、ディスペンサ本体の上部領域に配置された分配用開口部、及び分配用開口部を覆って解除可能にロック又は保持された位置と分配用開口部から粉粒食品が分配されるのを可能とする開位置との間で移動可能な、回動可能に据え付けられたフリップアップカバーを備える粉粒食品ディスペンサパッケージを提供する。
【００２１】
発明はまた、長方形平面支持体、支持体に固定された透明合成樹脂ディスペンサ本体、ディスペンサ本体の上部領域に配置された分配用開口部、及び分配用開口部を覆って解除可能にロック又は保持された位置と分配用開口部から香辛料が分配されるのを可能とする開位置との間で移動可能な、透明合成樹脂が回動可能に据え付けられたフリップアップカバーを備える香辛料ディスペンサパッケージを提供する。
【００２２】
発明はまた、上述したタイプのいずれかのパッケージを作製する方法を提供し、方法はディスペンサ本体を形成するステップ及び支持体にディスペンサ本体を取り付けるステップを備える。
【００２３】
発明はまた、上述したタイプのいずれかのパッケージを作製する方法を提供し、方法は一体型フリップアップカバーを有するディスペンサ本体を形成するステップ及び支持体にディスペンサ本体を取り付けるステップを備える。
【００２４】
他の例示的な実施形態及び本発明の効果は、本開示及び添付の図面を検討することによって確認可能である。
【００２５】
本発明は、本発明の例示的な実施形態の非限定的な例として、記載される複数の図面に関して後述する詳細な説明においてさらに説明され、同様の参照記号は図面の複数の図を通して同様の部分を表す。
【図面の簡単な説明】
【００２６】
【図１】図１は、フリップアップ蓋が閉位置で示され、パッケージングディスペンサが空又は未充填状態にある、発明によるパッケージングディスペンサの側面斜視図を示す。
【図２】図２は、図１に示すパッケージングディスペンサの正面図を示す。
【図３】図３は、図１に示すパッケージングディスペンサの背面図を示す。
【図４−５】図４は、図１に示すパッケージングディスペンサの右側面図を示す。図５は、図１に示すパッケージングディスペンサの左側面図を示す。
【図６−７】図６は、図１に示すパッケージングディスペンサの上面図を示す。図７は、図１に示すパッケージングディスペンサの底面図を示す。
【図８】図８は、フリップアップ蓋が全開位置にある状態での図１に示すパッケージングディスペンサの正面図を示す。
【図９】図９は、図８に示すパッケージングディスペンサの右側面図を示す。
【図１０】図１０は、フリップアップ蓋が閉位置で示され、パッケージングディスペンサが空又は未充填状態にある、発明の他の実施形態によるパッケージングディスペンサの側面斜視図を示す。
【図１１】図１１は、図１０に示すパッケージングディスペンサの正面図を示す。
【図１２】図１２は、図１０に示すパッケージングディスペンサの背面図を示す。
【図１３−１４】図１３は、図１０に示すパッケージングディスペンサの右側面図を示す。図１４は、図１０に示すパッケージングディスペンサの左側面図を示す。
【図１５−１６】図１５は、図１０に示すパッケージングディスペンサの上面図を示す。図１６は、図１０に示すパッケージングディスペンサの底面図を示す。
【図１７】図１７は、フリップアップ蓋が全開位置にある状態での図１０に示すパッケージングディスペンサの正面図を示す。
【図１８】図１８は、図１７に示すパッケージングディスペンサの右側面図を示す。
【図１９】図１９は、フリップアップ蓋が除去された状態の図１のディスペンサを示し、分配用開口部の剥離タンパー防止クロージャ及びパッケージングラベルについて可能な位置を示す。
【図２０−２２】図２０は、分配可能物質又は容器内容物を収容する、図１に示すのと同様なパッケージングディスペンサの右側面図を示し、フリップアップ蓋又はカバーの開口部を示す。図２１は、フリップアップ蓋又はカバーが閉位置にある状態での図２０の容器の正面図を幅及び高さ寸法とともに示す。図２２は、図２１の断面図を示し、分配可能物質又は容器内容物の充填レベルを示す。
【図２３−２４】図２３は、支持体パネルが除去されているか又は取り付けられていない状態の、図１に示すパッケージングディスペンサで用いられるパッケージング本体の斜視図を示す。フリップアップ蓋は開位置にある。図２４は、フリップアップ蓋が閉位置にある状態の図２３のパッケージング本体の斜視図を示す。
【図２５−２７】図２５は、図２４の厚さ寸法を有するパッケージング本体の上面図を示す。図２６は、図２４のパッケージング本体の正面図を幅及び高さ寸法とともに示す。図２７は、図２６の断面図である。
【図２８−３０】図２８は、分配可能物質又は容器内容物を収容する、パッケージングディスペンサの他の実施形態の斜視図を示し、閉じたフリップアップ蓋又はカバーを示す。先の実施形態と同様に、本実施形態は、シート又は平面（例えば紙）の支持体を利用することができる。図２９は、図２８の容器の正面図を幅及び高さ寸法とともに示す。図３０は、図２８の容器の上面図を厚さ寸法とともに示す。
【図３１−３２】図３１は、図２９の断面図を示し、分配可能物質又は容器内容物の充填レベルを示す。図３２は、図３１の一部の部分拡大図を示し、閉位置にある場合にフリップアップ蓋のドーム又は窪みがどのように分配用開口部に延在して閉鎖することができるのかを示す。
【図３３−３４】図３３は、図２８の左側面図を示す。図３４は、フリップアップ蓋が開位置の状態にある図２８の右側面図を示す。
【図３５−３６】図３５は、支持体パネルが除去されているか又は取り付けられていない状態の、図２８に示すパッケージングディスペンサで用いられるパッケージング本体の斜視図を示す。フリップアップ蓋は開位置にある。図３６は、図３５の本体の正面図を幅及び高さ寸法とともに示す。
【図３７−３９】図３７は、図３６の断面図を厚さ寸法とともに示す。図３８は、図３６の左側面図を示す。図３９は、図３６の底面図を示す。
【図４０−４２】図４０は、分配可能物質又は容器内容物を収容するパッケージングディスペンサの他の実施形態の斜視図を示し、閉じたフリップアップ蓋又はカバーを示す。先の実施形態とは異なり、本実施形態はシート又は平面（例えば紙）の支持体を利用せず、代わりに一体形成及び／又は折畳み可能支持体を利用し、若干傾斜した直立位置においてパッケージを支持するように機能する足部をさらに含む。図４１は、図４０の左側面図を示す。図４２は、傾斜した直立位置における図４０の右側面図を示す。
【図４３−４４】図４３は、図４０の上面図を示す。図４４は、図４０の正面図を幅及び高さ寸法とともに示す。
【図４５−４６】図４５は、図４３の断面図を示し、分配可能物質又は容器内容物の充填レベルを示す。図４６は、図４５の一部の部分拡大図を示し、閉位置にある場合にフリップアップ蓋のドーム又は窪みがどのように分配用開口部に延在して閉鎖することができるのかを示す。
【図４７−４８】図４７は、図４０の右側面図を示し、フリップアップがどのように開位置に移動し得るかを示す。図４８は、フリップアップ蓋が開位置にある状態、及び支持体部材が開いて展開された位置にある状態の図４０の実施形態の斜視図を示す。
【図４９−５０】図４９は、図４８の正面図を幅及び高さ寸法とともに示す。図５０は、図４９の断面図を厚さ寸法とともに示す。
【図５１−５２】図５１は、図４９の左側面図を厚さ寸法とともに示す。図５２は、図５１の底面図を示す。
【図５３−５４】図５３は、図４０に示すタイプの実施形態の支持体がどのように閉位置に折り畳まれ得るかを示す。図５４は、図４０に示すタイプの実施形態のフリップアップ蓋がどのように閉位置に折り畳まれ得るかを示す。
【図５５−５６】図５５は、分配可能物質又は容器内容物を収容可能なパッケージングディスペンサの他の実施形態の斜視図を示し、展開された位置のものを示す。先の実施形態とは異なり、本実施形態は正面に対向するフリップアップカバーを利用せず、代わりに一体形成の及び／又は折畳み支持体に折畳み可能に取り付けられた背面に対向するフリップアウト蓋又はカバーを利用し、また若干傾斜した直立位置においてパッケージを支持するように機能する足部を含む。図５６は、図５５の正面図を幅及び高さ寸法とともに示す。
【図５７−５９】図５７は、図５５の右側面図を厚さ寸法とともに示す。図５８は、図５５の底面図を示す。図５９は、図５８の一部の拡大図を示す。
【図６０−６２】図６０は、支持体及びフリップアウト蓋が閉位置にある状態の図５５の実施形態の斜視図を示す。図６１は、図６０の正面図を示す。図６２は、傾斜した直立位置における図６０の右側面図を示す。
【図６３−６５】図６３は、図６２の部分断面図を示す。図６４は、図６０の上面図を示す。図６５は、図６３の一部の拡大図を示す。
【図６６−６７】図６６は、背面に対向するフリップアウト蓋が開位置にある状態での図６０の実施形態の背面側斜視図を示す。この位置で、パッケージング容器は内部に保存される分配可能物質を分配することができる。図６７は、図６６の断面図を示し、内部に保存される分配可能物質の充填レベルを示す。
【発明を実施するための形態】
【００２７】
例示的な実施形態を参照して、本発明を以下の詳細な説明においてさらに説明する。
【００２８】
図１〜９は、パッケージングディスペンサ１の第１の非限定的な実施形態を示す。実施形態において、ディスペンサ１は、顆粒又は粉末状の物質などの分配可能製品を収容するような大きさ及び構成とされる。実施形態において、分配可能物質は、香辛料や調味料などの食品である。実施形態において、パッケージ１は、そこに収容される物質の性質、及び物質のどの程度がその内部に残っているか、例えば、パッケージ１は略満杯、略空か否かなどの両方をユーザ又は消費者が容易に特定できるように透明又は半透明である。例えば、ディスペンサ１がクミンスパイスの容器で透明な正面側を有する場合、ユーザは、その特有の黄色／茶色及び微細粉末の外観により、収容されるおおよその量及びそれがおそらく粉状のクミンであることの両方を容易に特定することができる。
【００２９】
図１及び２は、パッケージングディスペンサ１がどのようにして、略長方形の形状であり得る略平面支持体１０及び断面が半円状である容器部２０を有するかを示す。パッケージ１の他の主な構成要素は、後述するように閉鎖可能な蓋３０である。
【００３０】
支持体１０は、同じ長さの上縁部１１及び下縁部１２、さらに、上縁部及び下縁部１１、１２よりも長い右側縁部１３及び左側縁部１４を有する。支持体１０はまた、正面側１５及び背面側１６を有する（図３参照）。さらに、支持体１０は、吊り下げ用フック（不図示）にパッケージを支持するのに有利に用いられ得る開口部１７を含む。支持体１０は、紙、厚紙又は合成樹脂、そしてこれらのうちの２つ以上の層からなる積層物から作製することができる。例えば、支持体１０は、少なくとも正面側１５に合成樹脂の層又は被膜を有する紙から作製され得る。
【００３１】
容器部２０は、上下（垂直）方向に沿って半分に切断された香辛料の容器に類似する。容器部２０を支持体１０の正面側１５に固定させるために、容器２０のフランジ部２１は、容器２０の周囲に延在し、一般的に縁部１２〜１４のそれに対応し得る外周縁部を有する。フランジ２１は、接着結合又は超音波溶接を介するなどの多数の方法で支持体１０に固定可能である。好ましくは、フランジ２１は、容器部２０に一体形成される。明らかなように、支持体１０はディスペンサの背面側を形成す一方で、容器部２０はその正面側を形成する。その結果、完全な容器の正面からの外観を有する半容器構成となる。このことは不利に見えるが、この構成は（両側が容器のものと比較して）パッケージ１が同一のものを吊り下げることなどによってより容易かつ便利に保管されることを可能とするので、それは歓迎すべき有利なトレードオフとなり得る。さらに、両側が容器のものはひっくり返ったりテーブルなどの表面を転がったりし得るが、発明による構成によってこれを本質的に防止できる。
【００３２】
容器部２０は、大容量の下部２３とより少ない容量を保持する上部２４からなる主本体２２を有する。より狭い部分又は頸状領域２８が、部位２３と部位２４の間に位置する。図８に示すように、上部２４は、ディスペンサ１に収容される製品又は物質がそれを通して分配される分配用開口部２６を有する略平面かつ長方形の分配用端部２５を含み得る。保持用フランジ２７は、端部２５の下に位置する。保持用フランジ又は肩部２７と閉鎖可能な蓋３０との間の係合及び係合解除は、可聴及び／又は触知可能な開閉指標を提供して、ユーザにその音が聞こえる又触知されるスナップ接続を有利に生成可能である。
【００３３】
図１、２、４、８及び９から明らかなように、図８及び９で示す開位置と図１、２及び４で示す閉位置との間でリビングヒンジ３１を中心に回動可能な、閉鎖可能な蓋３０が利用される。蓋３０は、保持用突起部３５と保持用肩部２７との間の係合によって閉位置に保持される。蓋３０をより簡便にこれらに位置決めするために、蓋３０は、グリップ又はリフトタブ３４を含む。蓋３０は、その形状及び内部空間３６が上部２４のそれと緊密に合致又は一致する本体３２を有する。結果として、閉位置では、蓋３０の対応する平面かつ長方形の表面は、表面２５を覆い、略当接する。加えて、蓋３０の対応する表面が開口部を持たないので、閉位置では蓋３０の対応する表面は開口部２６を遮蔽又は閉鎖し、製品が分配されることを防止することにもパッケージ１に保存される分配可能製品の汚染を防止する際の補助にもなる。
【００３４】
ディスペンサ１をより低い費用で作製するために、本体２０及び蓋３０は、透明合成樹脂材料からなる一片の部材として形成されることが望ましい。これらを相互により関係づけることを可能とするために、リビングヒンジ３１は折り目のように細長い領域を生成することによって形成され得る。そして、部材は分配可能製品で充填され、正面側１５とフランジ２１との間の接続を介して支持体１０に接合され得る。
【００３５】
図１０〜１８は、パッケージングディスペンサ１´の第２の非限定的な実施形態を示す。この実施形態は、リフトタブ３４´が波形プロファイルを含む以外は図１のそれと同様である。支持体１０は、第１の実施形態と本質的に同一であり得る。本体２０´及び蓋３０´の構成は、波形状のリフトタブ３４´を除いてその他は同様である。したがって、ディスペンサ１´は、透明の本体２０´、固定用フランジ２１´、分配用開口部２６´及びリビングヒンジ３１´をとりわけ含むことができる。
【００３６】
図１９は、フリップアップ蓋が除去された状態の図１又は図１０のいずれかのディスペンサを示し、分配用開口部の剥離タンパー防止クロージャ５０及びパッケージングラベル６０についての可能な位置を示す。ラベル５０は、部分２５の平坦な表面に接着される一方で、分配用開口部を覆いかつ閉鎖する部位を有する。ラベル５０はまた、部分２５を超えて延在する把持可能部を有する。使用の際、ユーザは、蓋３０の透明性に起因して閉位置の蓋３０とともにラベル５０を見ることができる。初めて使用する際、ユーザは閉鎖可能な蓋３０を開け、そしてラベル５０を剥離して開口部２６を露出させる。ディスペンサ１が保管される場合にユーザが閉鎖可能な蓋３０に拠って分配用開口部２６を閉鎖すれば、ラベル５０はその後に廃棄可能である。このようにしてラベル５０は、初期購入若しくは使用時のタンパー防止又は安全クロージャとして機能する。ラベル６０は、概して本体２０の外側湾曲形状に沿い、取り外し不可能に設計される。実施形態において、それはディスペンサ１の内部に保存される物質又は製品を特定する機能を有する。ラベル６０の位置は、寸法Ｘとなり得る。
【００３７】
図２０〜２７は図１に示すものと同様のパッキングディスペンサ１００を示すが、図示するように、分配可能物質（容器内容物）ＣＣの量を含み、フリップアップ蓋又はカバー１３０がどのようにリビングヒンジ１３１を中心にして開位置に移動又は回動可能かを示す。図１の実施形態のように、本実施形態は、紙の支持体などの平面支持体１１０を使用することができる。内容物ＣＣついての例示的な充填レベルＣＬを図２２に示し、レベルＣＬは頸状領域１２８の垂直中央付近に位置し得る。図１に示す実施形態のように、パッケージ１００は、その周囲フランジが略平面支持体１１０に取り付けられる半円筒状の（すなわち断面が半円状の）の本体１２０を利用し、パッケージ１００を吊り下げるための開口部１１７と閉位置にロック又は解除可能に保持され得るフリップアップ蓋１３０を同様に用いる。フリップアップ蓋１３０は、閉位置にある場合に図１の実施形態のそれと同様に分配用開口部を閉鎖する。非限定的な実施形態において、内容物ＣＣの容量は約１．６立方インチであり、幅Ｗ及び高さＨの例示的な値はそれぞれ約１．９インチ及び約４．８インチである。
【００３８】
図２３〜２７は、支持体１１０が取り付けられていない状態のパッケージングディスペンサ本体及び蓋部材１２０／１３０を示す。明らかなように、本体１２０／１３０は、透明合成樹脂材料の薄いシートから成形される一片の一体形成部材であってもよい。非限定的な実施形態において、厚さは、リビングヒンジ１３１を可能な例外として、実質的に均一である。図２５及び２６で示す寸法値は、非限定的な例において以下の通りである：Ｗは約１．９インチであり、Ｈは約４インチであり、分配用開口部１２６の直径は約０．３３インチであり、厚さＴは約０．７７インチである。本体１２０を支持体１１０に固定する周囲フランジは、以下の値を有し得る：Ｈ１は約０．２５インチであり、Ｈ２は約０．２５インチであり、Ｈ３は約０．２５インチである。さらに、本体１２０の半円筒状主部の半径は、非限定的な実施形態において約０．６６インチである。
【００３９】
図２８〜３９は図２０に示すものと同様なパッケージングディスペンサ１００´を示し、ここで示すものは分配可能物質（容器内容物）ＣＣの量を含み、フリップアップ蓋又はカバー１３０´がどのようにリビングヒンジ１３１´を中心にして開位置に移動又は回動可能かを示す。図２０の実施形態のように、本実施形態は、紙の支持体などの平面支持体１１０´を使用することができる。内容物ＣＣついての例示的な充填レベルＣＬを図３１に示し、レベルＣＬは頸状領域１２８´の下端部付近に位置し得る。ただし、本実施形態は、より小型でより長方形形状の分配用ヘッド部１２４´のその使用によって主に図２０のものとは異なる。図２０に示す実施形態のように、パッケージ１００´はその周囲フランジが略平面支持体１１０´に取り付けられる半円筒状の（すなわち断面が半円状の）の本体１２０´を利用し、保持用凹部１３５´と部分１２４´の下端部に位置する保持用突起部との間の係合によって閉位置にロック又は解除可能に保持され得るフリップアップ蓋１３０´を同様に用いる。パッケージ１００´を吊り下げるための開口部１１７´もまた利用される。フリップアップ蓋１３０´は、閉位置にある場合に分配用開口部を閉鎖する。ただし、図１及び２０の実施形態が分配用開口部の上のフリップアップ蓋の平面部の当接位置決めによって分配用開口部を閉鎖するのに対して、図２８の実施形態は分配用開口部１２６´に延在してその円形の領域１３３´シーリングが分配用開口部１２６´の円形の内縁部と係合するドーム型の窪み１３３´ａ（図３２参照）を利用する（図３２参照）。分配用開口部１２６´は、より小型の長方形平面部１２５´に配置される。非限定的な実施形態において、内容物ＣＣの容量は約１．６立方インチであり、幅Ｗ及び高さＨの例示的な値はそれぞれ約２．３インチ及び約５．０インチである。厚さＴの値は、約０．９９インチである。
【００４０】
図３５〜３９は、支持体１１０´が取り付けられることなく、２つの構成要素、すなわち本体１２０´と蓋１３０´から形成されるパッケージングディスペンサを示す。明らかなように、本体１２０´／１３０´は、透明合成樹脂材料の薄いシートから成形される一片の一体形成部材であり得る。非限定的な実施形態において、厚さは、リビングヒンジ１３１´を可能な例外として実質的に均一である。図３６及び３７で示す寸法値は、非限定的な例において以下の通りである：Ｗ１は約２．３インチであり、Ｈ１は約３．８インチであり、Ｈ２は約５．３インチであり、分配用開口部１２６´の直径は約０．３３インチであり、厚さＴは約０．８６インチである。先の実施形態のように、本体１２０´は、本体１２０´を支持体１１０´に固定する周囲フランジを有する。図３９に示す厚さＴ１の値は、約０．８６である。
【００４１】
図４０〜４７は図２８に示すものと同様のパッキングディスペンサ１０００を示し、図示するように、分配可能物質（容器内容物）ＣＣの量を含み、フリップアップ蓋又はカバー１０３０がどのようにリビングヒンジ１０３１を中心にして開位置に移動又は回動可能かを示す。ただし、図２８の実施形態とは異なり、本実施形態は、紙の支持体などの平面支持体を使用せず、代わりに一体形成の形状で折畳み型の支持体１０１０を用いる。内容物ＣＣついての例示的な充填レベルＣＬを図４５に示し、レベルＣＬは頸状領域１０２８の下端部付近に位置し得る。さらに、本実施形態は図２８のそれとは異なり、足部又は立位支持突起部１０２３ａが使用される。図４２に示すように、この足部１０２３ａは、傾斜角度ＴＡが約８４度となり得る略直立又は若干傾斜した位置においてパッケージ１０００を支持可能である。パッケージ１０００は、支持体１０１０の同様に成形されたフランジに周囲フランジが当接する半円筒状の（すなわち断面が半円状の）本体１０２０を利用する。支持体１０１０は、リビングヒンジＬＨを介して本体１０２０に連結される。フリップアップ蓋１０３０は、図２８のものと同様であり、図４６に示すように蓋１０３０の保持用凹部１０３５が部分１０２４の保持用突起部と係合する状態で閉位置にロック又は解除可能に保持され得る。パッケージ１０００を吊り下げるための開口部１０１７もまた利用される。フリップアップ蓋１０３０は、閉位置にある場合に分配用開口部１０２６を閉鎖する。さらに、本実施形態は、先の実施形態のように、分配用開口部１０２６に延在してその円形の領域１０３３シーリングが分配用開口部１０２６の円形の内縁部と係合するドーム型の窪み１０３３ａを採用する（図４６参照）。分配用開口部１０２６は、長方形平面部１０２５に配置される。非限定的な実施形態において、内容物ＣＣの容量は約１．６立方インチであり、幅Ｗ及び高さＨの例示的な値はそれぞれ約１．９インチ及び約４．６インチである。厚さＴの値は、約０．９７インチである。
【００４２】
図４８〜５２は、本体１０２０、蓋１０３０並びにリビングヒンジ１０３１及びＬＨを介して接続される支持体１０１０を有する３つの構成要素の一体形成部材から形成されるパッケージングディスペンサを示す。足部１０２３ａもまた利用される。明らかなように、本体１０２０、蓋１０３０及び支持体１０１０は、透明合成樹脂材料の薄いシートから形成される一片の一体形成部材であってもよい。蓋１０３０はリビングヒンジ１０３１を介して本体１０２０に取り付けられる一方で、支持体１０１０はリビングヒンジＬＨを介して本体１０２０に取り付けられる。支持体１０１０は本体１０２０の背面開口部に延在可能な成形された突出部１０１９を有する一方で、支持体１０１０の周囲フランジは本体１０２０の同様に成形されたフランジに当接する。非限定的な実施形態において、３つの構成要素部材の厚さは、リビングヒンジ１０３１及びＬＨを可能な例外として実質的に均一である。図４９〜５１に示す寸法値は、非限定的な例において以下の通りである：Ｗ１は約１．９インチであり、Ｈ１は約３．９インチであり、Ｈ２は約４．６インチであり、Ｈ３は約９．９７インチであり、分配用開口部１０２６の直径は約０．３３インチであり、厚さＴ１は約０．８５インチであり、厚さＴ２は約０．１８インチである。
【００４３】
図５３は、図４０に示すタイプの実施形態の支持体がどのように図５４に示す閉位置にリビングヒンジを中心にして折り畳まれ得るかを示し、図５４は、図４０に示すタイプの実施形態のフリップアップ蓋がどのように図４０に示すものと同様の閉位置にリビングヒンジを中心にして折り畳まれ得るかを示す。
【００４４】
図５５〜６７は、パッケージングディスペンサ１０００´の他の実施形態を示す。本実施形態は、一体形成の３つの構成要素部材を利用する点で先の実施形態と同様であるが、正面に対向するフリップアップ蓋を背面に対向するフリップアウト蓋１０４０´に置き換える。したがって、３つの構成要素部材は、本体１０２０´、支持体１０１０´及びフリップアウト蓋１０４０´を含む。さらに、正面に対向する分配用開口部は、利用されない。代わりに、図６６及び６７に示すように、パッケージ１０００´は、フリップアウト蓋１０４０´を開位置に移動する結果、開口部を介して物質ＣＣを分配することができる。図６７に示すように、パッケージ１０００´は、分配可能物質（容器内容物）ＣＣの量を含むことができる。図６７は、フリップアウト蓋又はカバー１０４０´がどのようにリビングヒンジＬＨ２を中心にして開位置に移動又は回動可能かを示す。さらに、本実施形態は、リビングヒンジＬＨ２を介して蓋１０４０´に取り付けられる、一体形成の形状で折畳み型の支持体１０１０´を用いる。内容物ＣＣについての例示的な充填レベルＣＬを図６７に示し、レベルＣＬは頸状領域１０２８´の下端部付近に位置し得る。さらに、本実施形態は、足部又は立位支持突起部１０２３´ａを利用可能である。図６２に示すように、この足部１０２３´は、傾斜角度ＴＡが約８５度となり得る略直立又は若干傾斜した位置においてパッケージ１０００´を支持可能である。パッケージ１０００´は、周囲フランジが支持体１０１０´の同様に成形されたフランジに当接する半円筒状の（すなわち断面が半円状の）本体１０２０´を利用する。支持体１０１０´は、リビングヒンジＬＨ１を介して本体１０２０´に連結される。フリップアウト蓋１０４０´は、図６３及び６５に示すように、蓋１０２０´の保持用凹部ＲＲが蓋１０４０´の保持用突起部ＲＰと係合する状態で閉位置にロック又は解除可能に保持され得る。パッケージ１０００´を吊り下げるための開口部１０１７´もまた利用される。フリップアウト蓋１０４０´は、閉位置にある場合に支持体１０１０´に形成される開口部を閉鎖する。さらに、蓋１０４０´は、吊り下げ用開口部１０１７´に揃う吊り下げ用の開口部を含む上フランジ部とともに本体１０２０´の開口背面に延在可能な成形された突起部１０４３´を含む。非限定的な実施形態において、内容物ＣＣの容量は約１．０立方インチであり、また例示的な値は以下の通りである：幅Ｗ１は約２．１、幅Ｗ２及びＷ３は約０．２２インチであり、幅Ｗ４は約０．２２であり、高さＨ１は約４．２５インチであり、高さＨ２は約８．５インチであり、高さＨ３は約０．１２インチである。厚さＴ１の値は約０．８１インチであり、厚さＴ２は約０．１９インチである。
【００４５】
図５５〜５９は、本体１０２０´、蓋１０４０´並びにリビングヒンジＬＨ１及びＬＨ２を介して接続される支持体１０１０´を有する３つの構成要素の一体形成部材から形成されるパッケージングディスペンサを示す。これらは、図６０に示す最終組立状態に折り畳み可能である。好ましくは、支持体１０１０´は解除不可な形態で本体１０２０´と接続して折り畳まれ、ただし蓋１０４０´のみが本体１０２０´に解除可能に保持される。本体１０２０´、蓋１０４０´及び支持体１０１０´は、透明合成樹脂材料の薄いシートから成形される一片の一体形成部材であり得る。蓋１０４０´はリビングヒンジＬＨ２を介して支持体１０１０´の上端部に取り付けられるその下端部を有する一方で、支持体１０１０´はリビングヒンジＬＨ１を介して本体１０２０´の下端部に取り付けられるその下端部を有する。支持体１０１０´は本体１０２０´の背面開口部に延在可能な成形された突出部１０１９´を有する一方で、支持体１０１０´の周囲フランジは本体１０２０´の同様に成形されたフランジに当接する。非限定的な実施形態において、３つの構成要素部材の厚さは、リビングヒンジＬＨ１及びＬＨ２を可能な例外として実質的に均一である。
【００４６】
上述のデバイスはまた、ここで参照により明示的に取り込まれる先行技術文献に開示される１以上の構成を利用可能である。さらに、デバイスの１以上の種々の部品は、好適には、例えば射出成形によって一片の構造として作製可能であり、そのように行えば製造コストが低減される。すべての部分についての非限定的な材料は、食品パッケージング用に承認されたものなどの合成樹脂を含む。さらに、発明はまた、一実施形態のいずれか又はすべての開示された構成が、その変形が意図する目的のために機能する程度まで、他の開示された実施形態に用いられてもよいことを意図する。
【００４７】
少なくとも、発明の特定の例示的な実施形態の開示によって、それを作製及び使用可能とする形態で発明がここで開示されるため、発明はここで具体的に開示されていない追加の要素又は追加の構造がなくても実行可能である。
【００４８】
なお、上記の例は、単に説明の目的のために提供されたものであり、本発明を限定するものとして解釈されるべきではない。本発明が例示の実施形態を参照して説明されるが、ここで用いられた用語は、限定のための用語ではなく、説明及び例示のための用語であることが理解される。変更は、付随する特許請求の範囲内で、現在記載され修正されたように、その態様において本発明の範囲及び精神から逸脱することなくなされ得る。本発明は、特定の手段、材料及び実施形態を参照してここで説明されてきたが、本発明がここで開示される特定のものに限定されることを意図せず、むしろ、本発明はすべての機能的等価構造、方法及び使用にまで拡張され、そのようなものは付随する特許請求の範囲の範囲内にある。
【図１】
2019535602.tif 000003
【図２】
2019535602.tif 000004
【図３】
2019535602.tif 000005
【図４−５】
2019535602.tif 000006
【図６−７】
2019535602.tif 000007
【図８】
2019535602.tif 000008
【図９】
2019535602.tif 000009
【図１０】
2019535602.tif 000010
【図１１】
2019535602.tif 000011
【図１２】
2019535602.tif 000012
【図１３−１４】
2019535602.tif 000013
【図１５−１６】
2019535602.tif 000014
【図１７】
2019535602.tif 000015
【図１８】
2019535602.tif 000016
【図１９】
2019535602.tif 000017
【図２０−２２】
2019535602.tif 000018
【図２３−２４】
2019535602.tif 000019
【図２５−２７】
2019535602.tif 000020
【図２８−３０】
2019535602.tif 000021
【図３１−３２】
2019535602.tif 000022
【図３３−３４】
2019535602.tif 000023
【図３５−３６】
2019535602.tif 000024
【図３７−３９】
2019535602.tif 000025
【図４０−４２】
2019535602.tif 000026
【図４３−４４】
2019535602.tif 000027
【図４５−４６】
2019535602.tif 000028
【図４７−４８】
2019535602.tif 000029
【図４９−５０】
2019535602.tif 000030
【図５１−５２】
2019535602.tif 000031
【図５３−５４】
2019535602.tif 000032
【図５５−５６】
2019535602.tif 000033
【図５７−５９】
2019535602.tif 000034
【図６０−６２】
2019535602.tif 000035
【図６３−６５】
2019535602.tif 000036
【図６６−６７】
2019535602.tif 000037
【国際調査報告】
2019535602.tif 000038